(57)【要約】課題  異種ネットワークをまたいでシームレスに通信をハンドオーバする通信装置及びシステムを提供する。解決手段  互いに接続される複数のネットワーク上の複数の通信装置間で通信を行なう通信システムにおいて、第１のネットワーク２０上で通信中の通信装置１０が、当該第１のネットワークと種類の異なる第２のネットワーク３０にハンドオーバする際に、通信装置が、ハンドオーバ完了までの間、前記第１のネットワークと第２のネットワークを同時に用いて通信相手装置５０との間でデータを送受信する。
2008123509.tif 000002
【特許請求の範囲】
【請求項１】
互いに接続される複数のネットワーク上の複数の通信装置間で通信を行なう通信システムにおいて、
第１のネットワーク上で通信中の通信装置が、当該第１のネットワークと種類の異なる第２のネットワークにハンドオーバする際に、
前記通信装置が、ハンドオーバ完了までの間、前記第１のネットワークと第２のネットワークを同時に用いて通信相手装置との間でデータを送受信する
ことを特徴とする通信システム。
【請求項２】
前記通信装置が、ハンドオーバを実行する際に、ハンドオーバ要求を通信相手装置に送信してから、当該通信相手装置からのハンドオーバ完了通知の受信及び受信データの切り替えを完了するまでの期間に、前記第１のネットワークと前記第２のネットワークを同時に用いて前記通信相手装置との間でデータを送受信することを特徴とする請求項１記載の通信システム。
【請求項３】
前記通信相手装置が、ハンドオーバを実行する際に、前記通信装置からハンドオーバ開始要求を受信してから、ハンドオーバ完了通知の受信及び受信データの切り替えを完了するまでの期間に、移動元の宛先と移動先の宛先の２つの宛先に対してデータの送受信を同時に実行する
ことを特徴とする請求項２に記載の通信システム。
【請求項４】
前記第１のネットワークと前記第２のネットワークが、メディアゲートウェイを使用して接続されており、前記通信装置と前記通信相手装置は、前記第１のネットワーク又は前記第２のネットワークを直接経由する経路と、一方のネットワークから前記メディアゲートウェイを介して他方のネットワークを経由する経路の２つの経路を同時に用いてデータを送受信することを特徴とする請求項２又は請求項３に記載の通信システム。
【請求項５】
互いに接続される複数のネットワーク上の複数の通信装置間で通信を行なう通信システムにおけるハンドオーバ方法であって、
第１のネットワーク上で通信中の通信装置が、当該第１のネットワークと種類の異なる第２のネットワークにハンドオーバする際に、
前記通信装置が、ハンドオーバ完了までの間、前記第１のネットワークと第２のネットワークを同時に用いて通信相手装置との間でデータを送受信する
ことを特徴とするハンドオーバ方法。
【請求項６】
前記通信装置が、ハンドオーバを実行する際に、ハンドオーバ要求を通信相手装置に送信してから、当該通信相手装置からのハンドオーバ完了通知の受信及び受信データの切り替えを完了するまでの期間に、前記第１のネットワークと前記第２のネットワークを同時に用いて前記通信相手装置との間でデータを送受信することを特徴とする請求項５記載のハンドオーバ方法。
【請求項７】
前記通信相手装置が、ハンドオーバを実行する際に、前記通信装置からハンドオーバ開始要求を受信してから、ハンドオーバ完了通知の受信及び受信データの切り替えを完了するまでの期間に、移動元の宛先と移動先の宛先の２つの宛先に対してデータの送受信を同時に実行する
ことを特徴とする請求項６に記載のハンドオーバ方法。
【請求項８】
前記第１のネットワークと前記第２のネットワークが、メディアゲートウェイを使用して接続されており、前記通信装置と前記通信相手装置は、前記第１のネットワーク又は前記第２のネットワークを直接経由する経路と、一方のネットワークから前記メディアゲートウェイを介して他方のネットワークを経由する経路の２つの経路を同時に用いてデータを送受信することを特徴とする請求項６又は請求項７に記載のハンドオーバ方法。
【請求項９】
互いに接続される複数のネットワーク上の複数の通信装置間で通信を行なう通信システムの前記通信装置であって、
通信中の第１のネットワークから当該第１のネットワークと種類の異なる第２のネットワークにハンドオーバする際に、
ハンドオーバ完了までの間、前記第１のネットワークと第２のネットワークを同時に用いて通信相手装置との間でデータを送受信する
ことを特徴とする通信装置。
【請求項１０】
ハンドオーバを実行する際に、通信相手装置にハンドオーバ要求を送信してから、当該通信相手装置からのハンドオーバ完了通知の受信及び受信データの切り替えを完了するまでの期間に、前記第１のネットワークと前記第２のネットワークを同時に用いて前記通信相手装置との間でデータを送受信することを特徴とする請求項９に記載の通信装置。
【請求項１１】
ハンドオーバを実行する際に、通信相手装置からハンドオーバ開始要求を受信してから、ハンドオーバ完了通知の受信及び受信データの切り替えを完了するまでの期間に、移動元の宛先と移動先の宛先の２つの宛先に対してデータの送受信を同時に実行する
ことを特徴とする請求項１０に記載の通信装置。
【請求項１２】
前記第１のネットワークと前記第２のネットワークが、メディアゲートウェイを使用して接続されており、
前記第１のネットワーク又は前記第２のネットワークを直接経由する経路と、一方のネットワークから前記メディアゲートウェイを介して他方のネットワークを経由する経路の２つの経路を同時に用いてデータを送受信することを特徴とする請求項１０又は請求項１１に記載の通信装置。
【請求項１３】
前記第１のネットワーク又は前記第２のネットワークを直接経由した通信を行なう第１の通信手段と、一方のネットワークから前記メディアゲートウェイを介して他方のネットワークを経由した通信を行なう第２の通信手段と、送信するデータを前記第１及び第２の通信手段の双方に送信するバイキャスト手段とを備えることを特徴とする請求項１０又は請求項１１に記載の通信装置。
【請求項１４】
前記第１のネットワーク又は前記第２のネットワークを直接経由した通信と、一方のネットワークから前記メディアゲートウェイを介して他方のネットワークを経由した通信を同時に行なうことが可能な通信手段と、送信するデータを移動元の宛先と移動先の宛先の２つの宛先で前記通信手段に送信するバイキャスト手段とを備えることを特徴とする請求項１２に記載の通信装置。
【請求項１５】
互いに接続される複数のネットワーク上の複数の通信装置間で通信を行なう通信システムの前記通信装置上で実行され、
前記通信装置に、
通信中の第１のネットワークから当該第１のネットワークと種類の異なる第２のネットワークにハンドオーバする際に、
ハンドオーバ完了までの間、前記第１のネットワークと第２のネットワークを同時に用いて通信相手装置との間でデータを送受信する処理を実行させる通信プログラム。
【請求項１６】
前記通信装置に、ハンドオーバを実行する際に、ハンドオーバ要求を通信相手装置に送信してから、当該通信相手装置からのハンドオーバ完了通知の受信及び受信データの切り替えを完了するまでの期間に、前記第１のネットワークと前記第２のネットワークを同時に用いて前記通信相手装置との間でデータを送受信する処理を実行させることを特徴とする請求項１５記載の通信プログラム。
【請求項１７】
前記通信相手装置に、ハンドオーバを実行する際に、前記通信装置からハンドオーバ開始要求を受信してから、ハンドオーバ完了通知の受信及び受信データの切り替えを完了するまでの期間に、移動元の宛先と移動先の宛先の２つの宛先に対してデータの送受信を同時に実行する処理を実行させることを特徴とする請求項１６に記載の通信プログラム。
【請求項１８】
前記第１のネットワークと前記第２のネットワークが、メディアゲートウェイを使用して接続されており、前記通信装置と前記通信相手装置に、前記第１のネットワーク又は前記第２のネットワークを直接経由する経路と、一方のネットワークから前記メディアゲートウェイを介して他方のネットワークを経由する経路の２つの経路を同時に用いてデータを送受信する処理を実行させることを特徴とする請求項１６又は請求項１７に記載の通信プログラム。
【発明の詳細な説明】
【技術分野】
【０００１】
本発明は、複数のネットワークに同時に接続可能な通信装置におけるシームレスなハンドオーバ方法に関するものであり、特に、種類が異なるネットワークをまたいだハンドオーバを可能にする通信システム、ハンドオーバ方法、通信装置、通信プログラムに関するものである。
【背景技術】
【０００２】
近年、携帯電話網、無線ＬＡＮ（Ｌｏｃａｌ  ａｒｅａ  ｎｅｔｗｏｒｋ）をはじめとする無線ネットワークの普及に伴い、移動端末装置を用いて多種多様なネットワークに接続するというユースケースが増大している。【０００３】
例えば、通信方式としてセルラ網、無線ＬＡＮ、ＰＨＳ（Ｐｅｒｓｏｎａｌ  Ｈａｎｄｙｐｈｏｎｅ  Ｓｙｓｔｅｍ）接続、Ｂｌｕｅｔｏｏｔｈ（ブルートゥース）などがあり、また接続するネットワークとしてはセルラネットワーク、Ｉｎｔｅｒｎｅｔ、企業内イントラネット、家庭内ＬＡＮ、さらにこれらに対するＶＰＮ（Ｖｉｒｔｕａｌ  ｐｒｉｖａｔｅ  ｎｅｔｗｏｒｋ）接続がある。【０００４】
これら複数の通信方式に対して、サービスを継続したままネットワークを切り替える、すなわちシームレスハンドオーバの要求が高まっている。例えば、セルラ網を経由して音声電話やＴＶ電話で通話をしているときに、無線ＬＡＮの圏内に入ったら自動的にＩＰ電話に切り替える、などのようなものである。【０００５】
特に、固定網（Ｆｉｘｅｄ）と移動網（セルラ網，Ｍｏｂｉｌｅ）間で通信をハンドオーバさせるＦＭＣ（Ｆｉｘｅｄ  Ｍｏｂｉｌｅ  Ｃｏｎｖｅｒｇｅｎｃｅ）の要求が近年高まってきている。【０００６】
シームレスハンドオーバの方式としては、ＩＰ（Ｉｎｔｅｒｎｅｔ  Ｐｒｏｔｏｃｏｌ）を使用するものに関しては、例えば特許文献１に示すようにＭｏｂｉｌｅ  ＩＰ（モバイルＩＰ）を用いてシームレスにハンドオーバを実行させるものが考案されている。【０００７】
特許文献１では、さらにシームレス性を保つために、２つの無線ネットワークに対して同時にデータを送信する「バイキャスト通信」の機構を設けている。２つの無線ネットワークに対してデータを同時に送受信するようにすると、ハンドオーバ先の接続が完全に完了するまでの間にハンドオーバ元の通信路を使って通信を行うことができるため、シームレスにハンドオーバを実行することが可能となる。【０００８】
また、特許文献２では、回線交換とＶｏＩＰ音声通話の間でシームレスハンドオーバを実行する方法について述べられている。この方式では、異種ネットワークをまたいでハンドオーバを実行することが可能である。
【特許文献１】特開２００５−３１１５８０号
【特許文献２】特開２００４−２９７５９１号
【発明の開示】
【発明が解決しようとする課題】
【０００９】
特許文献１に記載される方法を用いる場合には、ネットワーク側のサポートが不可欠である。特許文献１によると、ネットワーク側はＭｏｂｉｌｅ  ＩＰをサポートするためにホームエージェントを持っている必要があり、シームレスにハンドオーバを実行するためにはエッジルータがバイキャスト通信する機構を備えていなければならない。このため、これらのサポートがないネットワークではシームレスなハンドオーバを実行することはできないという問題がある。【００１０】
また、この方式ではＭｏｂｉｌｅ  ＩＰを使用しているため、ＩＰ通信でない通信をハンドオーバすることはできない。例えば、現時点では、３Ｇ（第３世代）携帯電話の音声通話はＩＰを使用していないため、このハンドオーバ方式は使用できないという問題がある。【００１１】
特許文献２の方法を用いれば上記の問題は解決できるものの、この方法では、通話を行う両方の端末が同時にネットワークを切り替えるということが前提となっているため、例えば片側の端末が固定電話のようなケースでは利用することはできない。【００１２】
本発明は、上記に鑑みてなされたものであり、複数の異なるネットワークに接続し異なるプロトコルで通信を行う通信装置において、シームレスにハンドオーバを行うことを可能にする通信システム、ハンドオーバ方法、通信装置及び通信プログラムを提供することを目的とする。
【課題を解決するための手段】
【００１３】
本発明による通信システムは、互いに接続される複数のネットワーク上の複数の通信装置間で通信を行なう通信システムにおいて、第１のネットワーク上で通信中の通信装置が、当該第１のネットワークと種類の異なる第２のネットワークにハンドオーバする際に、通信装置が、ハンドオーバ完了までの間、第１のネットワークと第２のネットワークを同時に用いて通信相手装置との間でデータを送受信する。【００１４】
本発明によるハンドオーバ方法は、互いに接続される複数のネットワーク上の複数の通信装置間で通信を行なう通信システムにおけるハンドオーバ方法であって、第１のネットワーク上で通信中の通信装置が、当該第１のネットワークと種類の異なる第２のネットワークにハンドオーバする際に、通信装置が、ハンドオーバ完了までの間、第１のネットワークと第２のネットワークを同時に用いて通信相手装置との間でデータを送受信する。【００１５】
本発明による通信装置は、互いに接続される複数のネットワーク上の複数の通信装置間で通信を行なう通信システムの通信装置であって、通信中の第１のネットワークから当該第１のネットワークと種類の異なる第２のネットワークにハンドオーバする際に、ハンドオーバ完了までの間、第１のネットワークと第２のネットワークを同時に用いて通信相手装置との間でデータを送受信する。【００１６】
本発明による通信プログラムは、互いに接続される複数のネットワーク上の複数の通信装置間で通信を行なう通信システムの通信装置上で実行され、通信装置に、通信中の第１のネットワークから当該第１のネットワークと種類の異なる第２のネットワークにハンドオーバする際に、ハンドオーバ完了までの間、第１のネットワークと第２のネットワークを同時に用いて通信相手装置との間でデータを送受信する処理を実行させる。
【発明の効果】
【００１７】
第１の効果は、ネットワーク側にシームレスハンドオーバの機構がなくても、通信端末装置の実装を変更するだけでシームレスハンドオーバを実現できるという点である。これは、端末側が通信インタフェースに対してバイキャスト通信による送受信を実現し、かつ呼制御においてもバイキャスト通信を意識した動作を行うことが可能なためである。【００１８】
第２の効果は、ＩＰ以外の通信に関してもシームレスなハンドオーバの効果が得られるという点である。これは、端末からは通常のＩＰを使った通信と、ＩＰ以外の通信（メディアゲートウェイを使用する通信）を同時に維持し、双方を使ってバイキャスト通信することが可能なためである。【００１９】
第３の効果は、通信を行う通信端末の一方が固定端末であっても適用できるという点である。これは、異種ネットワークをまたいだ通信をメディアゲートウェイを経由して固定端末まで引き込みつつ、固定端末側では、相手端末とメディアゲートウェイの２箇所（２つの宛先）に対してバイキャスト通信することが可能なためである。
【図面の簡単な説明】
【００２０】
【図１】本発明の第１の実施の形態による通信システムの構成を示すブロック図である。
【図２】本発明の第１の実施の形態による通信端末装置の構成を示すブロック図である。
【図３】本発明の第１の実施の形態による通信相手装置の構成を示すブロック図である。
【図４】本発明の第１の実施の形態による通信システムの動作を示すシーケンス図である。
【図５】本発明の第１の実施の形態による通信端末装置及通信相手装置のハードウェア構成を示すブロック図である。
【図６】本発明の第２の実施の形態による通信システムの構成を示すブロック図である。
【発明を実施するための最良の形態】
【００２１】
（第１の実施の形態）
次に、本発明の第１の実施の形態について図面を参照して説明する。図１は本発明の第１の実施の形態による通信ネットワークの構成を示す図である。【００２２】
通信端末装置１０は、複数のネットワークに同時に接続可能な通信装置である。本実施の形態では、ＣＳ網２０とＩＭＳ網３０の双方に接続可能な装置を想定している。ここで、ＣＳ網２０は、回線交換型のネットワークであり、例えば、３Ｇ（第３世代）携帯電話ネットワーク網である。これに対し、ＩＭＳ網３０はＩＰ  Ｍｕｌｔｉｍｅｄｉａ  Ｓｕｂｓｙｓｔｅｍの略であり、ＩＰ（Ｉｎｔｅｒｎｅｔ  Ｐｒｏｔｏｃｏｌ）ベースのパケット交換網である。ＣＳ網２０における通信は回線交換で行われるのに対し、ＩＭＳ網３０における通信はパケット交換となる。【００２３】
メディアゲートウェイ４０は、ＣＳ網２０とＩＭＳ網３０間の通信の変換を行うためのものであり、例えば、ＣＳ網２０側の音声通話やＴＶ通話を終端してＩＭＳ網３０のＩＰ音声電話／ＴＶ電話に変換するものである。ＣＳ網２０に接続した端末がＩＭＳ網３０上の端末と音声通話／ＴＶ通話を行う場合は、メディアゲートウェイ４０を経由してセッションを張ることとなる。【００２４】
通信相手装置５０は、通信端末装置１０と通信（通話）を行う相手端末装置である。通信相手装置５０の構成は通信端末装置１０と同じであるが、ＣＳ通信手段１１を有しない。すなわち、ＩＭＳ網３０にしか接続しない装置、例えばＩＰ電話端末等である。しかし、後述するバイキャスト手段１３は有しているので、バイキャスト通信を実施することは可能である。【００２５】
次に、通信端末装置１０の内部構成について図２を参照して説明する。図２に示すように、通信端末装置１０は、ＣＳ通信手段１１と、ＩＭＳ通信手段１２を備えている。この２つはそれぞれＣＳ網２０、ＩＭＳ網３０と通信するための機能を有する手段である。【００２６】
呼制御部１４は、ＣＳ網２０／ＩＭＳ網３０における通信セッションの制御、例えば、音声通話呼の発呼／着呼、切断などの処理を行うための手段であり、ユーザデータ送受信部１５は、ＣＳ網２０／ＩＭＳ網３０において通信データ（本実施の形態では、音声データ等）の送受信を行うための手段である。【００２７】
バイキャスト手段１３は、ユーザデータ送受信部１５から送信されるデータをＣＳ網２０とＩＭＳ網３０の複数のあて先に対して同時に送受信するための機能を備えている。また、バイキャスト手段１３は、ＣＳ網２０とＩＭＳ網３０から到着したデータをマージする処理を行う。【００２８】
通信端末装置１０のバイキャスト手段１３は、ＣＳ通信手段１１及びＩＭＳ通信手段１２を使用してＣＳ網２０とＩＭＳ網３０に対して同じデータを別々に送信する。同じデータとはいえ、使用する網によってプロトコル／コーデックが異なるため、バイキャスト手段１３は適切なコーデック／プロトコル変換を行うものとする。例えば、ＣＳ網２０である３Ｇセルラ網に対してはＡＭＲ（Ａｄａｐｔｉｖｅ  Ｍｕｌｔｉ  Ｒａｔｅ）コーデックで音声データを送信し、ＩＭＳ網３０に対してはＧ．７１１コーデック／ＲＴＰパケットでデータを送信する。【００２９】
図３に、通信相手装置５０の内部構成を示す。図３に示すように、通信相手装置５０は、通信端末装置１０と比較して、ＣＳ通信手段１１が設けられていない。その他の構成要素については、図２の通信端末装置１０の構成要素と同様である。【００３０】
通信相手装置５０においては、バイキャスト手段１３がＩＭＳ通信手段１２を使用して同じデータを異なる宛先、具体的には異なるＩＰアドレスを持つ２つの宛先に対して、別々に送受信する。【００３１】
ここで、通信端末装置１０（通信相手装置５０）のハードウェア構成について簡単に説明する。【００３２】
図５は、本実施の形態による通信端末装置１０（通信相手装置５０）のハードウェア構成例を示すブロック図である。【００３３】
図５を参照すると、本発明による通信端末装置１０は、一般的なコンピュータ装置と同様のハードウェア構成によって実現することができ、ＣＰＵ（Ｃｅｎｔｒａｌ  Ｐｒｏｃｅｓｓｉｎｇ  Ｕｎｉｔ）５０１、ＲＡＭ（Ｒａｎｄｏｍ  Ａｃｃｅｓｓ  Ｍｅｍｏｒｙ）等のメインメモリであり、データの作業領域やデータの一時退避領域に用いられる主記憶部５０２、インターネット等の通信網を介してデータの送受信を行う通信制御部５０３、液晶ディスプレイ、プリンタやスピーカ等の出力部５０４、キーボードやマウス等の入力部５０５、周辺機器と接続してデータの送受信を行うインタフェース部５０６、ＲＯＭ（Ｒｅａｄ  Ｏｎｌｙ  Ｍｅｍｏｒｙ）、磁気ディスク、半導体メモリ等の不揮発性メモリから構成されるハードディスク装置である補助記憶部５０７、本情報処理装置の上記各構成要素を相互に接続するシステムバス５０８等を備えている。【００３４】
本発明による通信端末装置１０は、その動作を、通信端末装置１０内部にそのような機能を実現するプログラムを組み込んだ、ＬＳＩ（Ｌａｒｇｅ  Ｓｃａｌｅ  Ｉｎｔｅｇｒａｔｉｏｎ）等のハードウェア部品からなる回路部品を実装してハードウェア的に実現することは勿論として、上記した各構成要素の各機能を提供するプログラムを、上記ＣＰＵ５０１で実行することにより、ソフトウェア的に実現することができる。【００３５】
すなわち、ＣＰＵ５０１は、補助記憶部５０７に格納されているプログラムを、主記憶部５０２にロードして実行し、通信端末装置１０のＣＳ通信手段１１、ＩＭＳ通信手段１２、バイキャスト手段１３、呼制御部１４、ユーザデータ送受信部１５の各機能をソフトウェア的に実現する。【００３６】
次に、図４を参照して第１の実施の形態の動作について詳細に説明する。【００３７】
まず最初に、通信端末装置１０が、ＣＳ網２０にのみ接続されている状況でユーザから音声通話要求が発生した場合を想定する。通信要求が発生すると、呼制御部１４が、通信開始要求をＣＳ通信手段１１を使用してＣＳ網２０に対して送信する。【００３８】
この要求はメディアゲートウェイ４０で受信され、メディアゲートウェイ４０が通信要求をＩＭＳ網３０を経由して通信相手装置５０に送信する（ステップＳ１）。ＩＭＳ網３０においては、呼制御のプロトコルはＳＩＰ（Ｓｅｓｓｉｏｎ  Ｉｎｉｔｉａｔｉｏｎ  Ｐｒｏｔｏｃｏｌ）が用いられ、セッション確立にはＩＮＶＩＴＥメッセージが使用される。【００３９】
通信相手装置５０が通信を受諾するとセッションが確立する（ステップＳ２）。ユーザデータ送受信部１５は、ＣＳ通信手段１１を経由してユーザデータ（音声データ）の送受信を開始する。ユーザデータは、メディアゲートウェイ４０を経由して通信相手装置５０との間で送受信される（ステップＳ３）。【００４０】
次に、通信端末装置１０がＩＭＳ網３０に接続し、セッションをＩＭＳ網３０側にハンドオーバする場合を考える。【００４１】
呼制御部１４は、ＩＭＳ通信手段１２を経由して通信相手装置５０に対してハンドオーバ要求を送出する（ステップＳ４）。ＩＭＳ網３０においては、ハンドオーバ要求はＩＮＶＩＴＥメッセージで実行される。ＩＭＳ網３０はＩＰベースであることから、ＩＮＶＩＴＥパケット（ハンドオーバ要求）はＳＩＰサーバ（図では省略）を経由して通信相手装置５０まで送信される。【００４２】
一般的な端末の場合、ＩＮＶＩＴＥメッセージによるハンドオーバ指示を受信すると、音声データの送信先及び受信元を切り替えてしまうため、シームレスにハンドオーバさせることはできない。【００４３】
本実施の形態による通信相手装置５０は、一般的な端末とは異なり、以下のように動作する。【００４４】
通信相手装置５０は、ＩＮＶＩＴＥメッセージを受信すると、バイキャスト手段１３に指示を出し、データのバイキャスト通信を開始する（ステップＳ５）。これにより、バイキャスト手段１３は、ユーザデータ送受信部１５から受け取った音声データをＣＳ網２０とＩＭＳ網３０の双方（異なる宛先）に送信する（ステップＳ６）。具体的には、同じ音声データをＲＴＰ（Ｒｅａｌ  Ｔｉｍｅ  Ｐｒｏｔｏｃｏｌ）パケット化して送信する。送信するデータ自体は同じものであるが、一方はメディアゲートウェイ４０宛てに送信し、他方は通信端末装置１０のＩＭＳ通信手段１２宛てに直接送信することとなる。【００４５】
通信相手装置５０から送信されたメディアゲートウェイ４０宛のデータは、メディアゲートウェイ４０でコーデック変換され、通信端末装置１０のＣＳ通信手段１１を経由して受信される。【００４６】
また、通信端末装置１０によるデータの受信に関しては、２つの経路（ＣＳ／ＩＭＳ）の両方から受け付けるようにする。これにより、音声データは２種類の経路を通って通信端末装置１０に届くことになる。すなわち、メディアゲートウェイ４０を介してＣＳ網２０経由で到着する経路と、ＩＭＳ網３０を経由して到着する経路の２種類を通って通信端末装置１０に届く。【００４７】
受け取り側である通信端末装置１０のバイキャスト手段１３は、受信したデータから必要なデータを選択してユーザデータ送受信部１５に引き渡す。なお、データを選択するための方法については、一例として特許文献２に示されるように音声の同期を取りながらデータを選択する方法等を利用することができる。この選択方法については、当業者にとって広く知られている方法であるので詳細は省略する。【００４８】
また、通信相手装置５０側は、ＩＮＶＩＴＥメッセージを受諾したことを通信端末装置１０に通知する（ステップＳ７）。この通知により、通信端末装置１０側もバイキャスト手段１３に指示を出すことによりバイキャスト通信を開始する（ステップＳ８）。【００４９】
通信端末装置１０のバイキャスト手段１３は、音声データをＣＳ通信手段１１を使用してメディアゲートウェイ４０宛てに送信し、同時にＩＭＳ通信手段１２を使用して通信相手装置５０宛てに送信する（ステップＳ９）。【００５０】
前者は音声データをＡＭＲコーデックに変換して送信し、後者はＧ．７１１などのコーデックに変換してＲＴＰパケットで送信する。前者のデータはメディアゲートウェイ４０によりＲＴＰパケットに変換されて通信相手装置５０に到着する。通信相手装置５０側も通信端末装置１０側と同じように、受信したデータから必要なデータを選択してユーザデータ送受信部１５に引き渡す。【００５１】
この時点で、通信端末装置１０と通信相手装置５０は２つの通信経路を使って音声データを送受信していることとなり、シームレスに音声を切り替えることが可能となる。【００５２】
通信端末装置１０において音声をシームレスに切り替えるには、通常若干の時間を必要とする。通信端末装置１０側のバイキャスト手段１３は、受信音声の切り替えが完了するのを待ち、切り替えが完了すると呼制御部１４に切り替え完了を通知する（ステップＳ１０）。【００５３】
この通知を受け取ると、通信端末装置１０は、ＣＳ網２０における呼の切断要求（ＲＥＬＥＡＳＥ）を送信する。切断要求（ＲＥＬＥＡＳＥ）は、メディアゲートウェイ４０でＳＩＰ  ＢＹＥに変換されて通信相手装置５０に到着する（ステップＳ１１）。【００５４】
通信相手装置５０側において音声をシームレスに切り替える場合にも、若干の時間を必要とする。通信相手装置５０側のバイキャスト手段１３は、受信音声の切り替えが完了するのを待ち、切り替えが完了すると呼制御部１４に切り替え完了を通知する（ステップＳ１２）。【００５５】
この切り替え完了通知とステップＳ１１における通信端末装置１０からの切断要求の両方を受信すると、通信相手装置５０はバイキャスト手段１３に指示を出してバイキャスト通信を停止する（ステップＳ１３）。これにより、音声データはＩＭＳでのみ送信されるようになる。そして、通信端末装置１０に対して切断完了を通知する（ステップＳ１４）。【００５６】
通信端末装置１０は、ＣＳ網２０側の呼切断が完了したのを確認すると、バイキャスト手段１３に対して指示を出してバイキャスト通信を停止させる（ステップＳ１５）。【００５７】
これにより、音声データはＩＭＳ網３０網でのみ流れるようになり、シームレスハンドオーバが完了する（ステップＳ１６）。【００５８】
なお、ＩＭＳ網３０からＣＳ網２０側に切り替えを行う場合には、上述した処理を逆の手順で実行すればよい。【００５９】
（第１の実施の形態の効果）
次に、本実施の形態の効果について説明する。【００６０】
本実施の形態によれば、ネットワーク側の装置がなんらハンドオーバのための機能を提供していなくても、端末側の実装だけで異種ネットワークをまたいだシームレスなハンドオーバを実施することができる。これは、ネットワークを切り替える側の端末と、固定側の端末の双方が、音声データを２つの通信経路に対して同時に送信及び受信（バイキャスト通信）するように構成したためである。【００６１】
また、本実施の形態では、片方の装置が固定端末でもシームレスハンドオーバが可能である。これは回線交換網の通信路をメディアゲートウェイを経由してＩＰ通話に変換して固定端末側まで引き込んでおり、かつ固定側端末でもバイキャスト通信できる仕組みとしているためである。なお、メディアゲートウェイに関しても、特にシームレスハンドオーバのための仕組みは不要である。【００６２】
（第２の実施の形態）
次に、本発明の第２の実施の形態について図６を参照して詳細に説明する。【００６３】
図６を参照すると、本実施例では、通信相手装置５０はＩＭＳ網３０に接続しているのではなく別のＣＳ網６０に接続されているものとする。例えば、通信相手が通常の固定電話機で、ＰＳＴＮ（公衆交換電話網）に接続されている場合が該当する。【００６４】
この場合、ＩＭＳ網３０とＣＳ網６０との間の接続は、メディアゲートウェイ４０とは別のメディアゲートウェイが必要である。本実施の形態ではメディアゲートウェイ７０がＩＭＳ網３０とＣＳ網６０との間の接続を行うこととする。【００６５】
このような構成において、シームレスなハンドオーバを行う場合は、通信相手装置５０はバイキャスト通信ができないため、メディアゲートウェイ７０がバイキャスト通信を代行する必要がある。すなわち、メディアゲートウェイ７０に通信端末装置１０が備えるようなバイキャスト手段１３を組み込み、通信端末装置１０がハンドオーバを行う際のバイキャスト通信を実行するように構成することにより、シームレスなハンドオーバが可能となる。通信端末１０とメディアゲートウェイ７０間の動作シーケンスは図３と同様であるので、説明は省略する。【００６６】
（第２の実施の形態の効果）
第２の実施の形態によれば、通信相手装置５０に本発明による構成を実装しておらず、かつＩＭＳ網に接続していない場合であっても、シームレスなハンドオーバを実行できるという点である。この理由は、別のメディアゲートウェイ７０が本発明によるバイキャスト通信の方式を実装し、通信相手装置５０に成り代わってバイキャスト通信を行うことが可能であるからである。【００６７】
上述したように本発明の実施の形態では、複数の通信ネットワークに対してバイキャスト通信を実施することにより、ハンドオーバ先との接続が完了するまでの間にハンドオーバ元との通信を行うことができるため、シームレスにハンドオーバを実行することが可能となる。もし、バイキャスト通信の機構が使えないと、一旦ハンドオーバ元の切断を切ってからハンドオーバ先の接続を開始するため、セッションが一時的に途絶してしまうため、シームレスなハンドオーバを実現できない。【００６８】
以上好ましい実施の形態（及び実施例）を参照して本願発明を説明したが、本願発明は上記実施の形態（及び実施例）に限定されるものでない。本願発明の構成や詳細には、本願発明のスコープ内で当業者が理解し得る様々な変更をすることができる。【００６９】
この出願は、２００７年３月３０日に出願された日本出願特願２００７−０９１８０５を基礎とする優先権を主張し、その開示の全てをここに取り込む。
【産業上の利用可能性】
【００７０】
本発明によるシームレスハンドオーバ方法は、異なるネットワークが複数接続された通信システムに有用であり、特にハンドオーバ対象となるネットワークにハンドオーバのための仕組みが用意されていない場合や、使用するプロトコルが全く異なるネットワークをまたいだハンドオーバを実施したい場合などに適している。
【図１】
2008123509.tif 000003
【図２】
2008123509.tif 000004
【図３】
2008123509.tif 000005
【図４】
2008123509.tif 000006
【図５】
2008123509.tif 000007
【図６】
2008123509.tif 000008
【手続補正書】
【提出日】平成21年1月28日(2009.1.28)
【手続補正１】
【補正対象書類名】特許請求の範囲
【補正対象項目名】全文
【補正方法】変更
【補正の内容】
【特許請求の範囲】
【請求項１】
互いに接続される回線交換ネットワークとパケット交換ネットワーク上の複数の通信装置間で通信を行なう通信システムにおいて、
第１のネットワーク上で通信中の通信装置が、当該第１のネットワークと種類の異なる第２のネットワークにハンドオーバする際に、
前記通信装置が、ハンドオーバ完了までの間、前記第１のネットワークと第２のネットワークを同時に用いて通信相手装置との間で使用するネットワークに合わせたフォーマットでデータを送受信する
ことを特徴とする通信システム。
【請求項２】
前記通信装置が、ハンドオーバを実行する際に、ハンドオーバ要求を通信相手装置に送信してから、当該通信相手装置からのハンドオーバ完了通知の受信及び受信データの切り替えを完了するまでの期間に、前記第１のネットワークと前記第２のネットワークを同時に用いて前記通信相手装置との間でデータを送受信することを特徴とする請求項１記載の通信システム。
【請求項３】
前記通信相手装置が、ハンドオーバを実行する際に、前記通信装置からハンドオーバ開始要求を受信してから、ハンドオーバ完了通知の受信及び受信データの切り替えを完了するまでの期間に、移動元の宛先と移動先の宛先の２つの宛先に対してデータの送受信を同時に実行する
ことを特徴とする請求項２に記載の通信システム。
【請求項４】
前記第１のネットワークと前記第２のネットワークが、メディアゲートウェイを使用して接続されており、前記通信装置と前記通信相手装置は、前記第１のネットワーク又は前記第２のネットワークを直接経由する経路と、一方のネットワークから前記メディアゲートウェイを介して他方のネットワークを経由する経路の２つの経路を同時に用いてデータを送受信することを特徴とする請求項２又は請求項３に記載の通信システム。
【請求項５】
互いに接続される回線交換ネットワークとパケット交換ネットワーク上の複数の通信装置間で通信を行なう通信システムにおけるハンドオーバ方法であって、
第１のネットワーク上で通信中の通信装置が、当該第１のネットワークと種類の異なる第２のネットワークにハンドオーバする際に、
前記通信装置が、ハンドオーバ完了までの間、前記第１のネットワークと第２のネットワークを同時に用いて通信相手装置との間で使用するネットワークに合わせたフォーマットでデータを送受信する
ことを特徴とするハンドオーバ方法。
【請求項６】
前記通信装置が、ハンドオーバを実行する際に、ハンドオーバ要求を通信相手装置に送信してから、当該通信相手装置からのハンドオーバ完了通知の受信及び受信データの切り替えを完了するまでの期間に、前記第１のネットワークと前記第２のネットワークを同時に用いて前記通信相手装置との間でデータを送受信することを特徴とする請求項５記載のハンドオーバ方法。
【請求項７】
前記通信相手装置が、ハンドオーバを実行する際に、前記通信装置からハンドオーバ開始要求を受信してから、ハンドオーバ完了通知の受信及び受信データの切り替えを完了するまでの期間に、移動元の宛先と移動先の宛先の２つの宛先に対してデータの送受信を同時に実行する
ことを特徴とする請求項６に記載のハンドオーバ方法。
【請求項８】
前記第１のネットワークと前記第２のネットワークが、メディアゲートウェイを使用して接続されており、前記通信装置と前記通信相手装置は、前記第１のネットワーク又は前記第２のネットワークを直接経由する経路と、一方のネットワークから前記メディアゲートウェイを介して他方のネットワークを経由する経路の２つの経路を同時に用いてデータを送受信することを特徴とする請求項６又は請求項７に記載のハンドオーバ方法。
【請求項９】
互いに接続される回線交換ネットワークとパケット交換ネットワーク上の複数の通信装置間で通信を行なう通信システムの前記通信装置であって、
通信中の第１のネットワークから当該第１のネットワークと種類の異なる第２のネットワークにハンドオーバする際に、
ハンドオーバ完了までの間、前記第１のネットワークと第２のネットワークを同時に用いて通信相手装置との間で使用するネットワークに合わせたフォーマットでデータを送受信する
ことを特徴とする通信装置。
【請求項１０】
ハンドオーバを実行する際に、通信相手装置にハンドオーバ要求を送信してから、当該通信相手装置からのハンドオーバ完了通知の受信及び受信データの切り替えを完了するまでの期間に、前記第１のネットワークと前記第２のネットワークを同時に用いて前記通信相手装置との間でデータを送受信することを特徴とする請求項９に記載の通信装置。
【請求項１１】
ハンドオーバを実行する際に、通信相手装置からハンドオーバ開始要求を受信してから、ハンドオーバ完了通知の受信及び受信データの切り替えを完了するまでの期間に、移動元の宛先と移動先の宛先の２つの宛先に対してデータの送受信を同時に実行する
ことを特徴とする請求項１０に記載の通信装置。
【請求項１２】
前記第１のネットワークと前記第２のネットワークが、メディアゲートウェイを使用して接続されており、
前記第１のネットワーク又は前記第２のネットワークを直接経由する経路と、一方のネットワークから前記メディアゲートウェイを介して他方のネットワークを経由する経路の２つの経路を同時に用いてデータを送受信することを特徴とする請求項１０又は請求項１１に記載の通信装置。
【請求項１３】
前記第１のネットワーク又は前記第２のネットワークを直接経由した通信を行なう第１の通信手段と、一方のネットワークから前記メディアゲートウェイを介して他方のネットワークを経由した通信を行なう第２の通信手段と、送信するデータを前記第１及び第２の通信手段の双方に送信するバイキャスト手段とを備えることを特徴とする請求項１０又は請求項１１に記載の通信装置。
【請求項１４】
前記第１のネットワーク又は前記第２のネットワークを直接経由した通信と、一方のネットワークから前記メディアゲートウェイを介して他方のネットワークを経由した通信を同時に行なうことが可能な通信手段と、送信するデータを移動元の宛先と移動先の宛先の２つの宛先で前記通信手段に送信するバイキャスト手段とを備えることを特徴とする請求項１２に記載の通信装置。
【請求項１５】
互いに接続される回線交換ネットワークとパケット交換ネットワーク上の複数の通信装置間で通信を行なう通信システムの前記通信装置上で実行され、
前記通信装置に、
通信中の第１のネットワークから当該第１のネットワークと種類の異なる第２のネットワークにハンドオーバする際に、
ハンドオーバ完了までの間、前記第１のネットワークと第２のネットワークを同時に用いて通信相手装置との間で使用するネットワークに合わせたフォーマットでデータを送受信する処理を実行させる通信プログラム。
【請求項１６】
前記通信装置に、ハンドオーバを実行する際に、ハンドオーバ要求を通信相手装置に送信してから、当該通信相手装置からのハンドオーバ完了通知の受信及び受信データの切り替えを完了するまでの期間に、前記第１のネットワークと前記第２のネットワークを同時に用いて前記通信相手装置との間でデータを送受信する処理を実行させることを特徴とする請求項１５記載の通信プログラム。
【請求項１７】
前記通信相手装置に、ハンドオーバを実行する際に、前記通信装置からハンドオーバ開始要求を受信してから、ハンドオーバ完了通知の受信及び受信データの切り替えを完了するまでの期間に、移動元の宛先と移動先の宛先の２つの宛先に対してデータの送受信を同時に実行する処理を実行させることを特徴とする請求項１６に記載の通信プログラム。
【請求項１８】
前記第１のネットワークと前記第２のネットワークが、メディアゲートウェイを使用して接続されており、前記通信装置と前記通信相手装置に、前記第１のネットワーク又は前記第２のネットワークを直接経由する経路と、一方のネットワークから前記メディアゲートウェイを介して他方のネットワークを経由する経路の２つの経路を同時に用いてデータを送受信する処理を実行させることを特徴とする請求項１６又は請求項１７に記載の通信プログラム。
【国際調査報告】
2008123509.tif 000009
2008123509.tif 000010